(57)【要約】      （修正有）【課題】格子ユニットの外観性を損なわず、格子ユニットの角度調整を容易に行えるフロント式擬木柵を提供すること。【解決手段】上下一対の横木２１と複数の縦木２２からなる格子ユニットを具備したフロント式擬木柵であって、横木２１と縦木２２の対向面の間に当板２３，２４を介装して回動抵抗を小さくすると共に、横木２１と縦木２２の交差部に縦木２２側から貫挿させた芯棒打込み式の連結アンカー３０をかしめて枢着した。【選択図】図２
0003206730.tif 000002
【実用新案登録請求の範囲】
【請求項１】
隣り合う支柱の上部間および下部間に横架された中空構造を呈する一対の横木と、該横木に交差して枢支された複数の縦木からなる格子ユニットを具備したフロント式擬木柵であって、
前記縦木に形成された貫通孔と前記横木に形成された挿通孔を通じて前記横木と縦木の交差部に縦木側から貫挿された芯棒打込み式の連結アンカーにより前記横木と縦木の交差部が回動自在に枢支されており、
前記芯棒打込み式の連結アンカーの自由端が横木内でかしめられて固定されていることを特徴とする、
フロント式擬木柵。
【請求項２】
交差する前記横木と縦木の対向面の間に当板が介装されていることを特徴とする、請求項１に記載のフロント式擬木柵。
【請求項３】
前記縦木の貫通孔の入口側に芯棒打込み式の連結アンカーの頭部を収容可能な凹部が形成されていることを特徴とする、請求項１又は２に記載のフロント式擬木柵。
【考案の詳細な説明】
【技術分野】
【０００１】
本考案は上下の横木の間に複数の縦木を交差させて枢支した格子ユニットを具備したフロント式擬木柵に関するものである。
【背景技術】
【０００２】
筒状芯材の表面を樹皮模様の合成樹脂で被覆した擬木柵は遊歩道や公園等に設置されていて周知である。
特許文献１には、傾斜地の設置可能な格子ユニットを具備したフロント式擬木柵が開示されている。
従来の格子ユニットは隣り合う支柱に横架された上下の横木と、これら上下の横木の間に交差して架設された複数の縦木とを具備している。格子ユニットは各横木の両端部が支柱に設けた筒状の取付金具に保持されている。
横木と縦木の各交差部は貫通ボルトとナットを介して回動可能に軸支されている。
【先行技術文献】
【特許文献】
【０００３】
【特許文献１】特開２０００−２８２７１８号公報
【考案の概要】
【考案が解決しようとする課題】
【０００４】
従来のフロント式擬木柵の格子ユニットにはつぎのような問題点を有する。
＜１＞格子ユニットの製作にあたり、交差箇所からの浸水による腐食防止の観点から貫通ボルトを強く締め付けて密着させる必要があるが、貫通ボルトによる締付力が増すと交差箇所の回動抵抗が大きくなって格子ユニット全体が変形し難くなって、格子ユニットの角度調整作業に多くの時間と労力を要する。
例えば全長が２ｍの横木に対して９本の縦木の交差箇所を貫通ボルトで剛結して格子ユニットを製作した場合、格子ユニットを変形するには剛結した１８箇所の回動抵抗の合計を超える大きな外力が必要となる。
＜２＞横木と縦木の交差箇所は、横木と縦木のそれぞれの樹脂被覆層が互いに食い込むまで貫通ボルトを強く締め付けなければならなかった。
そのため、無理に格子ユニットを変形させると互いに食い込んだ樹脂被覆層がちぎれて損傷を生じ易い。
＜３＞横木と縦木の表面に露出した金属質のボルトヘッドやナットが擬木柵の外観を損ねるだけでなく、貫通ボルトやナットが突起物となって危険であると共に横木や縦木の肌触り感を悪化させる原因となっている。
＜４＞外部に露出した貫通ボルトとナットがスパナ等の手工具で簡単に取り外しできるため、格子ユニットが盗難にあうおそれがある。
【０００５】
本考案は以上の点に鑑みて成されたもので、その目的とするところは製作性に優れ、格子ユニットの外観性を損なわず、格子ユニットの角度調整を容易に行えるフロント式擬木柵を提供することにある。
【課題を解決するための手段】
【０００６】
本考案は、隣り合う支柱の上部間および下部間に横架された一対の横木と、該横木に交差して枢支された複数の縦木からなる格子ユニットを具備したフロント式擬木柵であって、前記縦木に形成された貫通孔と前記横木に形成された挿通孔を通じて前記横木と縦木の交差部に縦木側から貫挿された芯棒打込み式の連結アンカーにより前記横木と縦木の交差部が回動自在に枢支されており、前記芯棒打込み式の連結アンカーの自由端が横木内でかしめられて固定されている。
本考案の他の形態においては、交差する前記横木と縦木の対向面の間に当板が介装されている。
本考案の他の形態においては、前記縦木の貫通孔の入口側に芯棒打込み式の連結アンカーの頭部を収容可能な凹部が形成されている。
【考案の効果】
【０００７】
本考案は少なくとも次の効果を得ることができる。
＜１＞横木と縦木の交差部を芯棒打込み式の連結アンカーにより回動自在に枢支する簡単な作業で以て短時間に格子ユニットを簡易に製作することができる。
＜２＞交差する横木と縦木の対向面の間に当板を介装することで、横木と縦木の枢支部の回動抵抗が小さくなり、小さな外力で以て格子ユニットの角度調整を簡単かつ正確に行うことができると共に、横木と縦木の外周面が直接接触しないので、横木と縦木を回動させて格子ユニットを変形させる際に、横木と縦木の表層の樹脂被覆層が損傷されることを回避できる。
＜３＞芯棒打込み式の連結アンカーの自由端が横木の内部に隠れるので、横木の表面に連結アンカーが露出せず、さらに連結アンカーの頭部側が縦木の表層内に隠れて突起物が生じないので、外観性が格段に良くなる。
＜４＞横木と縦木の交差部が連結アンカーによりかしめて連結されている。
そのため横木と縦木の連結を解除することが難しく、格子ユニットの盗難防止効果が高くなる。
【図面の簡単な説明】
【０００８】
【図１】本考案に係るフロント式擬木柵の説明図で、傾斜地に設置したフロント式擬木柵を背面側（非通路側）から見た側面図
【図２】格子ユニットを構成する横木と縦木の交差部の組立斜視図
【図３】図１におけるIII-IIIの断面図
【考案を実施するための形態】
【０００９】
以下、図面を参照しながら本考案について説明する。
【００１０】
＜１＞フロント式擬木柵の概要
図１を参照して説明すると、本考案のフロント式擬木柵は、所定の間隔を隔てて立設した複数の支柱１０と、隣り合う支柱１０の片側に横架した角度調整可能な格子ユニット２０とを具備する。
【００１１】
＜２＞格子ユニット
格子ユニット２０は上下２本の横木２１，２１と、横木２１,２１に交差して架設した複数の縦木２２とを有する。
支柱１０の上下部には筒状の継手金具１１が軸支ボルト１２により回動自在に取り付けられており、格子ユニット２０は上下の各横木２１の両端部が継手金具１１に嵌挿されて支持されている。
【００１２】
＜３＞横木と縦木の枢支構造
図２，３を参照して説明すると、芯棒打込み式の連結アンカー３０と、両木２１，２２の間に介装し、円盤状を呈する一対の当板２３，２４を使用して、横木２１と縦木２２の交差部が枢支されている。
【００１３】
＜３．１＞横木と縦木
横木２１および縦木２２は図２示すように芯管２１ａ，２２ａの表面を樹皮模様の被膜２１ｂ，２２ｂで被覆した断面形状が円形を呈する公知の中空柱体である。
芯管２１ａ，２２ａは鋼管、アルミ管、樹脂管、紙管等の硬質パイプであり、被膜２１ｂ，２２ｂは硬質樹脂、軟質樹脂、コンクリート等を含む。
尚、縦木２２は硬質樹脂のみで構成する場合もある。
縦木２２の上下部には連結アンカー３０を貫通可能な貫通孔２２ｃが開設されていると共に、横木２１の側面には連結アンカー３０の自由端を内挿可能な非貫通式の内挿孔２１ｃが開設されている。
【００１４】
＜３．２＞連結アンカー
芯棒打込み式の連結アンカー３０は筒状のアンカー本体３１と、アンカー本体３１の中心部に内挿した芯棒３２とを具備した公知の芯棒打込みかしめ式アンカー等が使用可能である。
連結アンカー３０はアンカー本体３１の自由端部に軸方向に沿って複数のスリットが開設されていて、芯棒３２をハンマ等で打ち込むことでアンカー本体３１の自由端側が拡開する構造のものであれば使用可能である。
【００１５】
＜３．３＞当板
横木２１と縦木２２の対向面には、内挿孔２１ｃと貫通孔２２ｃと同軸線上に当板２３，２４が配設されていて、各被膜２１ｂ，２２ｂが直接接触しない構造になっている。
当板２３，２４は円盤状を硬質板であり、鋼製、ステンレス製、樹脂製等の硬質素材で形成されている。
当板２３，２４を使用するのは、横木２１と縦木２２の枢支部における回動抵抗を小さくするためである。
本例では各被膜２１ｂ，２２ｂを窪ませて形成した凹部内に当板２３，２４を収容する形態について説明するが、凹部を設けずに各被膜２１ｂ，２２ｂの表面に当板２３，２４を直接配設してもよい。
【００１６】
［格子ユニットの製作方法］
図２，３を参照しながら格子ユニット２０の製作方法について説明する。
【００１７】
＜１＞当板の介装
互いに平行に配置した２本の横木２１，２１の間に所定の間隔を隔てて縦木２２を配置する。この際、横木２１と縦木２２の対向面の間に一対の当板２３，２４を介装する。
【００１８】
＜２＞連結アンカーの挿入セット
貫通孔２２ｃを通じて縦木２２側から連結アンカー３０を挿入し、さらに一対の当板２３，２４を挿通させたアンカー本体３１の自由端を横木２１の内部へ案内する。
【００１９】
＜３＞芯棒の打込み
アンカー本体３１の頭部３３が縦木２２の貫通孔２２ｃの入口側に当接した状態で、芯棒３２をハンマ等で打ち込む。
芯棒３２の打込みに伴い横木２１の内部に位置するアンカー本体３１の自由端が拡開し、アンカー本体３１の頭部３３と拡開部との間でかしめて横木２１と縦木２２の間を連結する。
このように横木２１と縦木２２の各交差部に一対の当板２３、２４を介装しつつ、連結アンカー３０を挿入し、最後に芯棒３２を打ち込むだけの簡単な作業で以て横木２１と縦木２２の間を強固に連結できる。
尚、格子ユニット２０は製造設備の整った工場内で製作することは勿論のこと、現場製作も可能である。
【００２０】
＜４＞格子ユニットの外観
以上のようにして製作した格子ユニット２０は、アンカー本体３１の自由端が横木２１の内部に隠れるので、横木２１の表面に連結アンカー３０が露出しない。さらに縦木２２の貫通孔２２ｃの入口側の被膜２２ｂに凹部２２ｄを形成しておけば、アンカー本体３１の頭部３３や芯棒３２が隠れて縦木２２の表面側にも突起物が生じないので、外観性がよく、手で触れても違和感を感じない。
【００２１】
＜５＞格子ユニットの角度調整
格子ユニット２０を構成する横木２１と縦木２２の各交差部に当板２３，２４が介装してあることで、横木２１と縦木２２の各枢支部の回動抵抗が小さくなっている。
そのため、小さな外力で以て格子ユニット２０を容易に変形でき、また傾斜地に合せて格子ユニット２０の角度の微調整も容易に行うことが可能となる。
【００２２】
［他の実施例］
以上は横木２１と縦木２２の交差部に一対の当板２３，２４を介装した形態について説明したが、横木２１と縦木２２の交差部に１枚の当板を介装することも可能であり、また当板を省略する場合もある。
【符号の説明】
【００２３】
１０・・・・・支柱
１１・・・・・継手金具
１２・・・・・軸支ボルト
２０・・・・・格子ユニット
２１・・・・・横木
２１ａ・・・・横木の芯管
２１ｂ・・・・横木の被膜
２１ｃ・・・・横木の内挿孔
２２・・・・・縦木
２２ａ・・・・縦木の芯管
２２ｂ・・・・縦木の被膜
２２ｃ・・・・縦木の貫通孔
２２ｄ・・・・縦木の凹部
２３，２４・・当板
３０・・・・・連結アンカー
３１・・・・・アンカー本体
３２・・・・・芯棒
３３・・・・・アンカー本体の頭部
４６・・・・・ナット
【図１】
0003206730.tif 000003
【図２】
0003206730.tif 000004
【図３】
0003206730.tif 000005